(57)【要約】【課題】  包装箱において、幅寸法の異なる複数の物品を収納した箱本体の内部で、物品のがたつきを防止すること。【解決手段】  箱本体１０Ａの内部に幅寸法の異なる複数の物品Ａ、Ｂを収納する包装箱１０であって、狭巾物品Ｂを該物品Ｂの幅方向で押さえ保持する押さえ片２１、２２を有してなるもの。【選択図】  図１
2005035642.tif 000002
【特許請求の範囲】
【請求項１】
箱本体の内部に幅寸法の異なる複数の物品を収納する包装箱であって、
狭幅物品を該物品の幅方向で押さえ保持する押さえ片を有してなる包装箱。
【請求項２】
前記押さえ片を箱本体の蓋フラップに連設してなる請求項１に記載の包装箱。
【請求項３】
前記箱本体の扁平な折りたたみ形態で、前記押さえ片を蓋フラップの連設辺から箱本体の内側に折り込み済としてなる請求項２に記載の包装箱。
【請求項４】
前記狭幅物品を箱本体の相対する２個の押さえ片により挟んで押さえ保持する請求項１〜３のいずれかに記載の包装箱。
【請求項５】
前記押さえ片が物品の被保持部に係合する切欠部を備える請求項１〜４のいずれかに記載の包装箱。
【請求項６】
前記押さえ片により狭幅物品を該物品の長手方向で押さえ保持する請求項１〜５のいずれかに記載の包装箱。
【請求項７】
前記箱本体の相対する２枚の側板の間に広幅物品を狭持する請求項１〜６のいずれかに記載の包装箱。
【請求項８】
前記押さえ片により広幅物品を該物品の長手方向で押さえ保持する請求項１〜７のいずれかに記載の包装箱。
【請求項９】
前記箱本体の少なくとも一部から内部を透視できる請求項１〜８のいずれかに記載の包装箱。
【発明の詳細な説明】
【技術分野】
【０００１】
本発明は包装箱に関する。
【背景技術】
【０００２】
包装箱として、特許文献１に記載の如く、スパークプラグを収納する箱本体のフラップを箱内方へ折曲げ、フラップの先端係止部をプラグの取付金具に係止し、プラグのがたつきを防止し、プラグの接地電極に衝撃が加わってスパークギャップに狂いが生ずることを防止するものがある。
【０００３】
他の包装箱として、特許文献２に記載の如く、蓋のないスリーブ方式の箱本体の開口縁部に設けたフラップの先端部を緩衝材に当て、緩衝材を固定するものがある。
【特許文献１】実開昭60-75288（6頁、7頁、第３図）
【特許文献２】特開平3-187834（2頁、第２図）
【発明の開示】
【発明が解決しようとする課題】
【０００４】
特許文献１、２の従来技術は、箱本体の内部に収納した物品を、該箱本体の物品挿入方向に沿う該物品の長手方向でがたなく固定するものを開示するに過ぎない。従って、箱本体の内部に幅寸法の異なる複数の物品を収納するとき、狭幅物品が該箱本体の物品挿入方向に直交する方向にて形成するがたつきを防止することの考慮がない。
【０００５】
このため、従来技術では、包装箱の輸送時や陳列時に、箱本体の内部における狭幅物品の姿勢ががたつき、異音を生じたり、陳列外観性を損なう。
【０００６】
本発明の課題は、包装箱において、幅寸法の異なる複数の物品を収納した箱本体の内部で、物品のがたつきを防止することにある。
【課題を解決するための手段】
【０００７】
請求項１の発明は、箱本体の内部に幅寸法の異なる複数の物品を収納する包装箱であって、狭幅物品を該物品の幅方向で押さえ保持する押さえ片を有してなるようにしたものである。
【実施例】
【０００８】
（第１実施例）（図１〜図６）
包装箱１０は、図１に示す如く、箱本体１０Ａの内部に幅寸法の異なる複数（本実施例では２個）の物品Ａ、Ｂを収納する。Ａは広幅物品（本実施例では短尺広幅物品）であり、例えばパフ（スポンジ）用容器である。Ｂは狭幅物品（本実施例では長尺狭幅物品）であり、例えば天面の一方側隅部と底面の他方側隅部に丸味のある角型の化粧料用容器である。
【０００９】
包装箱１０は、図３に示す如く、正面板１１Ａ、側板１１Ｂ、背面板１１Ｃ、側板１１Ｄを順に連設するとともに、正面板１１Ａの側縁に接合フラップ１１Ｅを備え、この接合フラップ１１Ｅを側板１１Ｄに接合することにより、箱本体１０Ａの四角筒状の胴部を組上げ可能にする。
【００１０】
包装箱１０は、背面板１１Ｃの上縁に蓋板１２Ａを連設し、蓋板１２Ａの先端縁に差込み片１２Ｂを連設している。蓋板１２Ａは吊下げフック１２Ｄを備える。包装箱１０は、正面板１１Ａの下縁に底板１３Ａを連設し、底板１３Ａの先端縁に差込み片１３Ｂを連設している。
【００１１】
包装箱１０は、側板１１Ｂの上縁と下縁のそれぞれに蓋フラップ１４Ａ、１５Ａを連設し、側板１１Ｄの上縁と下縁のそれぞれに蓋フラップ１６Ａ、１７Ａを連設している。
【００１２】
包装箱１０は、箱本体１０Ａの組上げ状態で、四角筒状の胴部の上開口部に蓋フラップ１４Ａと蓋フラップ１６Ａを閉じ込み、更に蓋板１２Ａを閉じ込み、蓋板１２Ａの差込み片１２Ｂを正面板１１Ａの裏面と蓋フラップ１４Ａ、１６Ａの係止縁１４Ｂ、１６Ｂとの間に挿入し、差込み片１２Ｂの切込み１２Ｃ、１２Ｃをそれらの係止縁１４Ｂ、１６Ｂに係止することにより、蓋板１２Ａによる上開口部の閉じ状態を得る。
【００１３】
包装箱１０は、箱本体１０Ａの組上げ状態で、四角筒状の胴部の下開口部に、蓋フラップ１５Ａと蓋フラップ１７Ａを閉じ込み、更に底板１３Ａを閉じ込み、底板１３Ａの差込み片１３Ｂを背面板１１Ｃの裏面と蓋フラップ１５Ａ、１７Ａの係止縁１５Ｂ、１７Ｂとの間に挿入し、差込み片１３Ｂの切込み１３Ｃ、１３Ｃをそれらの係止縁１５Ｂ、１７Ｂに係止することにより、底板１３Ａによる下開口部の閉じ状態を得る。
【００１４】
包装箱１０は、箱本体１０Ａの組上げ状態で、相対する２枚の側板１１Ｂ、１１Ｄがなす間隔を、箱内に収納される広幅物品Ａの幅と同一寸法にし、相対する側板１１Ｂ、１１Ｄの間で広幅物品Ａを挟持可能にしている。
【００１５】
包装箱１０は、箱本体１０Ａの蓋フラップ１４Ａの先端縁に上押さえ片２１を連設し、蓋フラップ１５Ａの先端縁に下押さえ片２２を連設する。押さえ片２１、２２は、蓋フラップ１４Ａ、１５Ａの長さＬ1より長い長さＬ2をなすとともに（図３）、蓋フラップ１４Ａ、１５Ａの先端縁と同一幅をなし、箱本体１０Ａの四角筒状の胴部において、相対する正面板１１Ａと背面板１１Ｃの間隔と略同一幅をなす。箱本体１０Ａの組上げ状態で、蓋フラップ１４Ａの先端縁から箱内方に延在せしめられる上押さえ片２１を、箱内に収納されている狭幅物品Ｂの一方側の上隅部に当て、狭幅物品Ｂをその幅方向で箱本体１０Ａの側板１１Ｄに対し押さえ保持する。また、蓋フラップ１５Ａの先端縁から箱内方に延在せしめられる下押さえ片２２を、狭幅物品Ｂの一方側の下隅部に当て、狭幅物品Ｂを狭幅方向で箱本体１０Ａの側板１１Ｄに対し押さえ保持する。
【００１６】
上押さえ片２１と下押さえ片２２は、箱本体１０Ａの物品挿入方向に沿う狭幅物品Ｂの長手方向の上下両側から該物品Ｂを挟み、狭幅物品Ｂの長手方向でも該物品Ｂを押さえ保持する。
【００１７】
包装箱１０は、図４に示す如く、箱本体１０Ａの正面板１１Ａ、側板１１Ｄの組と側板１１Ｂ、背面１１Ｃの組を互いに折り重ねた扁平な折りたたみ形態で、上押さえ片２１、下押さえ片２２を蓋フラップ１４Ａ、１５Ａの連設辺２１Ａ、２２Ａから箱本体１０Ａの内側に折り込み済とする。連設辺２１Ａ、２２Ａはその一辺の中間部を切抜き部２１Ｂ、２２Ｂとし、折り込み易くするとともに、折り込み後の復元（戻り）を防止している。
【００１８】
包装箱１０は、箱本体１０Ａの全体（押さえ片２１、２２も含む）を、ポリプロピレン等の透明樹脂材料にて成形し、箱本体１０Ａの少なくとも一部（本実施形態では全部）から内部を透視可能にしている。
【００１９】
包装箱１０による物品Ａ、Ｂの包装手順は以下の如くになる（図５、図６）。
(1)扁平折りたたみ形態の箱本体１０Ａを自動包装機械に投入し、正面板１１Ａ、背面１１Ｃに対して側板１１Ｂ、１１Ｄを起こし、四角筒状の胴部を組上げる（図５（Ａ））。
【００２０】
(2)箱本体１０Ａの胴部の上開口部において、蓋フラップ１４Ａ、１６Ａの閉じ込み、蓋板１２Ａの閉じ込みにより、蓋板１２Ａによる閉じ状態を得る。このとき、上押さえ片２１が蓋フラップ１４Ａの先端縁から箱内方に延在せしめられる（図５（Ｂ））。
【００２１】
(3)箱本体１０Ａの胴部の下開口部から、物品Ａ、Ｂを挿入する（図６（Ａ））。
【００２２】
(4)箱本体１０Ａの胴部の下開口部において、蓋フラップ１５Ａ、１７Ａの閉じ込み、底板１３Ａの閉じ込みにより、底板１３Ａによる閉じ状態を得る。このとき、下押さえ片２２が蓋フラップ１５Ａの先端縁から箱内方に延在せしめられる（図６（Ｂ）、（Ｃ））。
【００２３】
(5)箱本体１０Ａの上述(4)で得られる物品Ａ、Ｂの収納状態において、広幅物品Ａは相対する側板１１Ｂ、１１Ｄの間で挟持される。また、狭幅物品Ｂは、上押さえ片２１、下押さえ片２２により幅方向で側板１１Ｄに対し押さえ保持されるとともに、上押さえ片２１と下押さえ片２２により長手方向の上下両側から挟まれて押さえ保持される。
【００２４】
本実施例によれば以下の作用効果を奏する。
(1)幅寸法の異なる複数の物品Ａ、Ｂを箱本体１０Ａの内部に収納したとき、狭幅物品Ｂの該箱本体１０Ａへの物品挿入方向に直交する方向、換言すれば該物品Ｂの幅方向で、押さえ片２１、２２が該物品Ｂを押さえ保持し、該物品Ｂのがたつきが防止される。これにより、包装箱１０の輸送時や陳列時に、箱本体１０Ａの内部における狭幅物品Ｂの姿勢ががたついたり、異音を生ずることを防止でき、陳列外観性が向上する。
【００２５】
(2)押さえ片２１、２２を箱本体１０Ａの蓋フラップ１４Ａ、１５Ａに連設することにより、押さえ片２１、２２を簡易に設けることができる。また、蓋フラップ１４Ａ、１５Ａの開閉により、押さえ片２１、２２の物品Ｂに対し簡易に着脱できる。
【００２６】
(3)箱本体１０Ａの扁平な折りたたみ形態で、押さえ片２１、２２を蓋フラップ１４Ａ、１５Ａの連設辺２１Ａ、２２Ａから箱本体１０Ａの内側に折り込み済とすることにより、自動包装機で箱本体１０Ａを組上げ後、直ちに物品Ａ、Ｂを該箱本体１０Ａに挿入し、押さえ片２１、２２による物品保持機能を利用できる。
【００２７】
(4)狭幅物品Ｂの箱本体１０Ａへの物品挿入方向に沿う方向、換言すれば該物品Ｂの長手方向でも、押さえ片２１、２２により該物品Ｂを上下両側から挟んで押さえ保持し、該物品Ｂのがたつきを防止できる。
【００２８】
(5)狭幅物品Ａを箱本体１０Ａの相対する２枚の側板１０Ｂ、１０Ｄの間に挟持することにより、広幅物品Ａのがたつきも防止できる。
【００２９】
(6)箱本体１０Ａを透明材料から構成する等により、箱本体１０Ａの少なくとも一部から内部を透視できるものとすることにより、傾きのない整然とした姿勢で収納された物品Ａ、Ｂを外部から視認でき、陳列外観性を向上できる。このとき、押さえ片２１、２２も透明材料から構成することにより、物品Ａ、Ｂの外観の全体を隠すことなく陳列できる。
【００３０】
図２の包装箱１０は、図１の包装箱１０に比し、箱本体１０Ａにおける蓋フラップ１４Ａ、１５Ａの先端縁に連設した押さえ片２１、２２の自由端を延長し、押さえ片２１、２２の延長端により、箱本体１０Ａの物品挿入方向に沿う広幅物品Ａの上下両側から該物品Ａを挟み、広幅物品Ａをその長手方向で押さえ保持可能にしたものである。
【００３１】
図２の包装箱１０によれば、広幅物品Ａの箱本体１０Ａへの物品挿入方向に沿う方向、換言すれば該物品Ａの長手方向でも、押さえ片２１、２２により該物品Ａを押さえ保持し、該物品Ａのがたつきを防止できる。
【００３２】
従って、図２の包装箱１０にあっては、包装箱１０を起立させた状態で、物品Ａ、Ｂの幅方向のがたつきを防止することができるし、包装箱１０を寝かせた（倒した）状態で搬送する際に、高さ（短尺と長尺）の異なる物品Ａ、Ｂの長手方向（高さ方向）のがたつきも防止できる。
【００３３】
（第２実施例）（図７、図８）
第２実施例の包装箱１０は、箱本体１０Ａの内部に広幅物品Ａと、狭幅物品Ｃ（例えば丸棒状の化粧料用容器）を収納可能する。このとき、第２実施形態の包装箱１０が、第１実施形態の包装箱１０と異なる点は、図７、図８に示す如く、箱本体１０Ａの蓋フラップ１４Ａ、１６Ａの先端縁に上押さえ片２１、２３を連設し、蓋フラップ１５Ａ、１７Ａの先端縁に下押さえ片２２、２４を連設したことにある。
【００３４】
包装箱１０は、箱本体１０Ａの扁平な折りたたみ形態で、押さえ片２１、２２と同様に、押さえ片２３、２４を蓋フラップ１６Ａ、１７Ａの連設辺２３Ａ、２４Ａから箱本体１０Ａの内側に折り込み済とするとともに、連設辺２３Ａ、２４Ａの一辺の中間部に切抜き部２３Ｂ、２４Ｂを設けてある。
【００３５】
これにより、包装箱１０にあっては、図７に示す如く、箱本体１０Ａの相対する上２個の押さえ片２１、２３と下２個の押さえ片２２、２４のそれぞれにより、狭幅物品Ｃを挟んで押さえ保持し、箱本体１０Ａの中央に物品Ｃを位置付けることができる。
【００３６】
また、包装箱１０にあっては、狭幅物品Ｃの箱本体１０Ａへの物品挿入方向に沿う方向、換言すれば該物品Ｃの長手方向でも、上押さえ片２１、２３と下押さえ片２２、２４により該物品Ｃを上下両側から挟んで押さえ保持し、該物品Ｃのがたつきを防止できる。
【００３７】
尚、包装箱１０は、上押さえ片２１、２３及び／又は下押さえ片２２、２４の自由端を延長し、それらの延長端により、広幅物品Ａの長手方向でも、上押さえ片２１、２３及び／又は下押さえ片２２、２４により該物品Ａを上下両側から押さえ保持し、広幅物品Ａのがたつきを防止することもできる。
【００３８】
この包装箱１０によれば、包装箱１０を起立させた状態で、物品Ａ、Ｂの幅方向のがたつきを防止することができるし、包装箱１０を寝かせた（倒した）状態で搬送する際に、高さ（短尺と長尺）の異なる物品Ａ、Ｂの長手方向（高さ方向）のがたつきも防止できる。
【００３９】
（第３実施例）（図９、図１０）
第３実施例の包装箱１０は、箱本体１０Ａの内部に、広幅物品Ａと、狭幅物品Ｄ（例えばチューブ状の化粧料用容器）を収納可能にする。このとき、第３実施形態の包装箱１０が、第２実施形態の包装箱１０と異なる点は、図９、図１０に示す如く、箱本体１０Ａの蓋フラップ１４Ａ、１６Ａの先端縁に連設した上押さえ片２１、２３の面内に狭幅物品Ｄの被保持部たる扁平底部３１の両側端部３１Ａに係合する三角孔状の切欠部２１Ｃ、２３Ｃを備え、それら切欠部２１Ｃ、２３Ｃの切欠スペースに狭幅物品Ｄの扁平底部３１の両側端部３１Ａを嵌めた状態で、上押さえ片２１、２３により狭幅物品Ｄの扁平底部３１をその幅方向と長手方向で押さえ保持する。また、箱本体１０Ａの蓋フラップ１５Ａ、１７Ａの先端縁に連設した下押さえ片２２、２４の蓋フラップ１５Ａ、１７Ａ寄りに狭幅物品Ｄの被保持部たるキャップ３２の両側部３２Ａに係合する鉤形の切欠部２２Ｃ、２４Ｃを備え、それら切欠部２２Ｃ、２４Ｃの切欠スペースに狭幅物品Ｄのキャップ３２の両側部３２Ａを合せた状態で、下押さえ片２２、２４により狭幅物品Ｄのキャップ３２をその幅方向で押さえ保持する。
【００４０】
これにより、包装箱１０にあっては、図９に示す如く、押さえ片２１〜２４が狭幅物品Ｄの被保持部（扁平底部３１とキャップ３２）に係合する切欠部２１Ｃ〜２４Ｃを備えることにより、物品Ｄの被保持部の一部の出張り部分等を切欠部２１Ｃ〜２４Ｃの切欠スペースに配置し、物品Ｄの被保持部に出張り部分がある場合にも、該物品Ｄを押さえ片２１〜２４により安定的に押さえ保持できる。押さえ片２１〜２４の切欠部２１Ｃ〜２４Ｃを、物品Ｄの幅方向に直交する該物品Ｄの厚み方向で該物品Ｄに当接させれば、当該押さえ片２１〜２４により該物品Ｄを厚み方向においても押さえ保持できる。
【００４１】
また、包装箱１０にあっては、狭幅物品Ｄの箱本体１０Ａへの物品挿入方向に沿う方向、換言すれば該物品Ｄの長手方向でも、上押さえ片２１、２３の切欠部２１Ｃ、２３Ｃと下押さえ片２２、２４の切欠部２２Ｃ、２４Ｃにより該物品Ｄを上下両側から挟んで押さえ保持し、該物品Ｄのがたつきを防止できる。
【００４２】
尚、包装箱１０は、上押さえ片２１、２３及び／又は下押さえ片２２、２４の自由端を延長し、それらの延長端により、広幅物品Ａの長手方向でも、上押さえ片２１、２３及び／又は下押さえ片２２、２４により該物品Ａを上下両側から押さえ保持し、広幅物品Ａのがたつきを防止することもできる。
【００４３】
この包装箱１０によれば、包装箱１０を起立させた状態で、物品Ａ、Ｂの幅方向のがたつきを防止することができるし、包装箱１０を寝かせた（倒した）状態で搬送する際に、高さ（短尺と長尺）の異なる物品Ａ、Ｂの長手方向（高さ方向）のがたつきも防止できる。
【００４４】
本発明において、箱本体の内部に収納される広幅物品と狭幅物品はそれらの長手方向寸法を同じにするものでも良い。
【図面の簡単な説明】
【００４５】
【図１】図１は第１実施形態の包装箱を示す外観図である。
【図２】図２は第１実施形態の変形例を示す外観図である。
【図３】図３は包装箱の展開図である。
【図４】図４は包装箱の折りたたみ形態を示す外観図である。
【図５】図５は包装箱の包装手順の箱積上げ過程を示す外観図である。
【図６】図６は包装箱の包装手順の物品挿入過程を示す外観図である。
【図７】図７は第２実施形態の包装箱を示す外観図である。
【図８】図８は包装箱の展開図である。
【図９】図９は第３実施形態の包装箱を示す外観図である。
【図１０】図１０は包装箱の展開図である。
【符号の説明】
【００４６】
１０  包装箱
１０Ａ  箱本体
１１Ｂ、１１Ｄ  側板
１４Ａ、１５Ａ、１６Ａ、１７Ａ  蓋フラップ
２１、２２、２３、２４  押さえ片
２１Ａ、２２Ａ、２３Ａ、２４Ａ  連設辺
Ａ  広幅物品
Ｂ、Ｃ、Ｄ  狭幅物品
【図１】
2005035642.tif 000003
【図２】
2005035642.tif 000004
【図３】
2005035642.tif 000005
【図４】
2005035642.tif 000006
【図５】
2005035642.tif 000007
【図６】
2005035642.tif 000008
【図７】
2005035642.tif 000009
【図８】
2005035642.tif 000010
【図９】
2005035642.tif 000011
【図１０】
2005035642.tif 000012